(57)【要約】      （修正有）【課題】清掃用粘着テープのローラ部への脱着の作業を容易にすることができる清掃具を提供する。【解決手段】清掃具Ｃは、清掃用粘着テープ１を支持するローラ部２と、このローラ部２を回転可能に支持するローラ支持部３とを備えた清掃具Ｃであって、清掃用粘着テープ１の円筒状の巻芯１ａに当接するローラ部２の外形は、断面が略多角形に形成され、ローラ部２の端部に弾性部材で形成された単一の抜け止めストッパー２ＡＴが設けられ、この単一の抜け止めストッパー２ＡＴは、ローラ部２の軸心と直交する方向に巻芯１ａの厚みを超えない突起が形成されているものである。【選択図】図２
2013022117.tif 000002
【特許請求の範囲】
【請求項１】
清掃用粘着テープを支持するローラ部と、このローラ部を回転可能に支持するローラ支持部とを備えた清掃具であって、
前記清掃用粘着テープの円筒状の巻芯に当接する前記ローラ部の外形は、断面が略多角形に形成され、
前記ローラ部の端部に弾性部材で形成された単一の抜け止めストッパーが設けられ、
この単一の抜け止めストッパーは、前記ローラ部の軸心と直交する方向に前記巻芯の厚みを超えない突起が形成されている
ことを特徴とする清掃具。
【請求項２】
清掃用粘着テープを支持するローラ部と、このローラ部を回転可能に支持するローラ支持部とを備えた清掃具であって、
前記清掃用粘着テープの円筒状の巻芯に当接する前記ローラ部の外周に、前記ローラ部の軸心に平行な複数の凸条部が形成され、
前記ローラ部の端部に弾性部材で形成された単一の抜け止めストッパーが設けられ、
この単一の抜け止めストッパーは、前記ローラ部の軸心と直交する方向に前記巻芯の厚みを超えない突起が形成されている
ことを特徴とする清掃具。
【請求項３】
清掃用粘着テープを支持するローラ部と、このローラ部を回転可能に支持するローラ支持部とを備えた清掃具であって、
前記清掃用粘着テープの円筒状の巻芯に当接する前記ローラ部の外形は、断面が略多角形に形成されている
ことを特徴とする清掃具。
【請求項４】
清掃用粘着テープを支持するローラ部と、このローラ部を回転可能に支持するローラ支持部とを備えた清掃具であって、
前記清掃用粘着テープの円筒状の巻芯に当接する前記ローラ部の外周に、前記ローラ部の軸心に平行な複数の凸条部が形成されている
ことを特徴とする清掃具。
【請求項５】
清掃用粘着テープを支持するローラ部と、このローラ部を回転可能に支持するローラ支持部とを備えた清掃具であって、
前記ローラ部の端部に弾性部材で形成された単一の抜け止めストッパーが設けられ、
この単一の抜け止めストッパーは、前記ローラ部の軸心と直交する方向に前記巻芯の厚みを超えない突起が形成されている
ことを特徴とする清掃具。
【請求項６】
ローラ部の端部は、少なくとも、円周部を有し、この円周部に前記ローラ部の軸心に平行な２個のスリットを設け、この２個のスリットを介して、前記円周部を第１の円周部、第２の円周部に分断し、前記第１の円周部、前記第２の円周部の内、小さい方の前記第１の円周部を単一の抜け止めストッパーとする
ことを特徴とする請求項１又は請求項２又は請求項５記載の清掃具。
【発明の詳細な説明】
【技術分野】
【０００１】
本発明は、清掃具に係り、特に、清掃用粘着テープのローラ部への脱着の作業を容易にすることができる清掃具に関する。
【背景技術】
【０００２】
従来、カーペット等を掃除するに好適な粘着式掃除具がある（例えば、特許文献１参照）。
この粘着式掃除具は、清掃用粘着テープを支持するローラ部と、このローラ部を回転可能に支持するローラ支持部とを備え、清掃用粘着テープの巻芯の内壁面とローラ部との接触が、ローラ部の全周に亘って接触して支持させるようになっている。
【先行技術文献】
【特許文献】
【０００３】
【特許文献１】実用新案登録第３０４２８５２号公報
【発明の概要】
【発明が解決しようとする課題】
【０００４】
ところが、生産上の誤差や湿度等により清掃用粘着テープの巻芯の内壁面が変形し、収縮した場合、清掃用粘着テープをローラ部へ装着しにくく、また、装着後、清掃用粘着テープの巻芯の内壁面が変形し、収縮した場合、清掃用粘着テープをローラ部から取り外しにくいという問題点があった。
【０００５】
本発明は、前記問題点を考慮してなされたもので、清掃用粘着テープのローラ部への脱着の作業を容易にすることができる清掃具を提供することを目的とする。
【課題を解決するための手段】
【０００６】
請求項１記載の清掃具は、清掃用粘着テープを支持するローラ部と、このローラ部を回転可能に支持するローラ支持部とを備えた清掃具であって、前記清掃用粘着テープの円筒状の巻芯に当接する前記ローラ部の外形は、断面が略多角形に形成され、前記ローラ部の端部に弾性部材で形成された単一の抜け止めストッパーが設けられ、この単一の抜け止めストッパーは、前記ローラ部の軸心と直交する方向に前記巻芯の厚みを超えない突起が形成されているものである。
【０００７】
また、請求項２記載の清掃具は、清掃用粘着テープを支持するローラ部と、このローラ部を回転可能に支持するローラ支持部とを備えた清掃具であって、前記清掃用粘着テープの円筒状の巻芯に当接する前記ローラ部の外周に、前記ローラ部の軸心に平行な複数の凸条部が形成され、前記ローラ部の端部に弾性部材で形成された単一の抜け止めストッパーが設けられ、この単一の抜け止めストッパーは、前記ローラ部の軸心と直交する方向に前記巻芯の厚みを超えない突起が形成されているものである。
【０００８】
また、請求項３記載の清掃具は、清掃用粘着テープを支持するローラ部と、このローラ部を回転可能に支持するローラ支持部とを備えた清掃具であって、前記清掃用粘着テープの円筒状の巻芯に当接する前記ローラ部の外形は、断面が略多角形に形成されているものである。
【０００９】
また、請求項４記載の清掃具は、清掃用粘着テープを支持するローラ部と、このローラ部を回転可能に支持するローラ支持部とを備えた清掃具であって、前記清掃用粘着テープの円筒状の巻芯に当接する前記ローラ部の外周に、前記ローラ部の軸心に平行な複数の凸条部が形成されているものである。
【００１０】
また、請求項５記載の清掃具は、清掃用粘着テープを支持するローラ部と、このローラ部を回転可能に支持するローラ支持部とを備えた清掃具であって、前記ローラ部の端部に弾性部材で形成された単一の抜け止めストッパーが設けられ、この単一の抜け止めストッパーは、前記ローラ部の軸心と直交する方向に前記巻芯の厚みを超えない突起が形成されているものである。
【００１１】
また、請求項６記載の清掃具は、請求項１又は請求項２又は請求項５記載の清掃具において、ローラ部の端部は、少なくとも、円周部を有し、この円周部に前記ローラ部の軸心に平行な２個のスリットを設け、この２個のスリットを介して、前記円周部を第１の円周部、第２の円周部に分断し、前記第１の円周部、前記第２の円周部の内、小さい方の前記第１の円周部を単一の抜け止めストッパーとするものである。
【発明の効果】
【００１２】
請求項１記載の清掃具によれば、清掃用粘着テープの円筒状の巻芯に当接するローラ部の外形は、断面が略多角形に形成されているため、清掃用粘着テープの円筒状の巻芯が生産上の誤差や湿度等により多少変形しても、ローラ部の外周が円であるものに比べ、清掃用粘着テープの巻芯の内壁面との接触が少なく、清掃用粘着テープのローラ部への脱着の作業を容易にすることができる。
また、抜け止めストッパーが単一であるため、例えば、右手の人差し指以外の指で清掃用粘着テープの外周を支持し、右手の人差し指を使って突起をローラ部の軸心に向かって押せば、清掃用粘着テープのローラ部との係合関係が容易に解除され、ローラ部から清掃用粘着テープを取り外して、清掃用粘着テープのローラ部への脱着の作業を容易にすることができる。
【００１３】
また、請求項２記載の清掃具によれば、清掃用粘着テープの円筒状の巻芯に当接するローラ部の外周に、ローラ部の軸心に平行な複数の凸条部が形成されているため、清掃用粘着テープの円筒状の巻芯が生産上の誤差や湿度等により多少変形しても、ローラ部の外周が円であるものに比べ、清掃用粘着テープの巻芯の内壁面との接触が少なく、清掃用粘着テープのローラ部への脱着の作業が容易である。
また、抜け止めストッパーが単一であるため、例えば、右手の人差し指以外の指で清掃用粘着テープの外周を支持し、右手の人差し指を使って突起をローラ部の軸心に向かって押せば、清掃用粘着テープのローラ部との係合関係が容易に解除され、ローラ部から清掃用粘着テープを取り外して、清掃用粘着テープのローラ部への脱着の作業を容易にすることができる。
【００１４】
また、請求項３記載の清掃具によれば、清掃用粘着テープの円筒状の巻芯に当接するローラ部の外形は、断面が略多角形に形成されているため、清掃用粘着テープの円筒状の巻芯が生産上の誤差や湿度等により多少変形しても、ローラ部の外周が円であるものに比べ、清掃用粘着テープの巻芯の内壁面との接触が少なく、清掃用粘着テープのローラ部への脱着の作業を容易にすることができる。
【００１５】
また、請求項４記載の清掃具によれば、清掃用粘着テープの円筒状の巻芯に当接するローラ部の外周に、ローラ部の軸心に平行な複数の凸条部が形成されているため、清掃用粘着テープの円筒状の巻芯が生産上の誤差や湿度等により多少変形しても、ローラ部の外周が円であるものに比べ、清掃用粘着テープの巻芯の内壁面との接触が少なく、清掃用粘着テープのローラ部への脱着の作業が容易である。
【００１６】
また、請求項５記載の清掃具によれば、抜け止めストッパーが単一であるため、例えば、右手の人差し指以外の指で清掃用粘着テープの外周を支持し、右手の人差し指を使って突起をローラ部の軸心に向かって押せば、清掃用粘着テープのローラ部との係合関係が容易に解除され、ローラ部から清掃用粘着テープを取り外して、清掃用粘着テープのローラ部への脱着の作業を容易にすることができる。
【００１７】
また、請求項６記載の清掃具によれば、請求項１又は請求項２又は請求項５記載の発明の効果に加え、ローラ部の端部は、少なくとも、円周部を有し、この円周部に前記ローラ部の軸心に平行な２個のスリットを設け、この２個のスリットを介して、前記円周部を第１の円周部、第２の円周部に分断し、前記第１の円周部、前記第２の円周部の内、小さい方の前記第１の円周部を単一の抜け止めストッパーとするため、ローラ部の端部の円周部の強度低下をある程度押さえて、ローラ部の端部の円周部に単一の抜け止めストッパーを形成することができる。
【図面の簡単な説明】
【００１８】
【図１】図１は、本発明の一実施例の清掃具の概略的斜視図である。
【図２】図２は、図１の清掃具を分解して示す概略的分解斜視図である。
【図３】図３は、図１の清掃具から清掃用粘着テープを取り除いて示す概略的正面図である。
【図４】図４は、図３の矢印Ａ方向から見た概略的図である。
【図５】図５は、図４のＢ−Ｂ線による概略的断面図である。
【図６】図６は、図４のＣ−Ｃ線による概略的断面図である。
【図７】図７は、図４のＤ−Ｄ線による概略的断面図である。
【図８】図８（ａ）は、図３の清掃具に清掃用粘着テープを取り付ける前の状態の概略的斜視図であり、図８（ｂ）は、図３の清掃具に清掃用粘着テープを取り付ける途中の状態の概略的斜視図であり、図８（ｃ）は、図３の清掃具に清掃用粘着テープを取り付けた状態の概略的斜視図である。
【図９】図９は、図１の清掃具から清掃用粘着テープを取り除こうとしている状態の概略的正面図である。
【図１０】図１０は、図９の清掃具から清掃用粘着テープを取り除いている途中の概略的正面図である。
【図１１】図１１は、図８（ａ）のローラ部と異なる他の実施例のローラ部の概略的正面図である。
【図１２】図１２は、図１１の１２−１２線による概略的断面図である。
【図１３】図１３は、図１の清掃具と異なる他の実施例の清掃具の概略的斜視図である。
【図１４】図１４は、図１３の清掃具を分解して示す概略的分解斜視図である。
【図１５】図１５は、図１３の清掃具から清掃用粘着テープを取り除いて示す概略的正面図である。
【図１６】図１６は、図１５の矢印Ａ方向から見た概略的図である。
【図１７】図１７は、図１５のＢ−Ｂ線による概略的断面図である。
【図１８】図１８は、図１５のＣ−Ｃ線による概略的断面図である。
【図１９】図１９は、図１５のＤ−Ｄ線による概略的断面図である。
【図２０】図２０（ａ）は、図１５の清掃具に清掃用粘着テープを取り付ける前の状態の概略的斜視図であり、図２０（ｂ）は、図１５の清掃具に清掃用粘着テープを取り付ける途中の状態の概略的斜視図であり、図２０（ｃ）は、図１５の清掃具に清掃用粘着テープを取り付けた状態の概略的斜視図である。
【図２１】図２１は、図１３の清掃具から清掃用粘着テープを取り除こうとしている状態の概略的正面図である。
【図２２】図２２は、図１３の清掃具から清掃用粘着テープを取り除いている途中の概略的正面図である。
【発明を実施するための形態】
【００１９】
本発明の一実施例の清掃具を図面を参照して説明する。
[第１の実施例（図１乃至図１０）]
図１及び図２に示すＣは清掃具で、清掃具Ｃは、清掃用粘着テープ１を支持するローラ部２と、このローラ部２を回転可能に支持するローラ支持部３とを備えている。
【００２０】
清掃用粘着テープ１は、円筒状の巻芯１ａに粘着テープ１ｂの粘着面が表側を向くように巻回されたものである。巻芯１ａは、例えば、紙で形成されている。
清掃用粘着テープ１の円筒状の巻芯１ａに当接するローラ部２の外形は、例えば、両側の端面２Ａ、２Ｂの外形は、断面が略多角形（例えば、八角形）に形成されている。
ローラ部２の端部２Ａ、２Ｂに弾性部材で形成された単一の抜け止めストッパー２ＡＴが設けられ、この単一の抜け止めストッパー２ＡＴは、ローラ部２の軸心と直交する方向に巻芯１ａの厚みを超えない突起が形成されている。
詳述すれば、ローラ部２の端部２Ａ、２Ｂは、少なくとも、円周部を有し、この円周部にローラ部２の軸心に平行な２個のスリットＳ１、Ｓ２を設け、この２個のスリットＳ１、Ｓ２を介して、前記円周部を第１の円周部２Ａ１、第２の円周部２Ａ２に分断し、第１の円周部２Ａ１、第２の円周部２Ａ２の内、小さい方の第１の円周部２Ａ１を単一の抜け止めストッパーとしている。
そのため、ローラ部２の端部の円周部２Ａの強度低下をある程度抑制して、ローラ部２の端部２Ａの円周部に単一の抜け止めストッパー２ＡＴを形成することができる。
【００２１】
また、ローラ支持部３は、棒状部材を図２に示す略逆コ字形状に形成して、一端をローラ部２に、他端をグリップ４に、それぞれ接続されるようになっている。図２に示す５は、ローラ支持部３がローラ部２から離脱するのを防ぐストッパー体である。
【００２２】
従って、上述した清掃具Ｃによれば、清掃用粘着テープ１の円筒状の巻芯１ａに当接するローラ部２の外形は、断面が略多角形に形成されているため、清掃用粘着テープ１の円筒状の巻芯１ａが生産上の誤差や湿度等により多少変形しても、ローラ部２の外周が円であるものに比べ、清掃用粘着テープ１の巻芯１ａの内壁面との接触が少なく、清掃用粘着テープ１のローラ部２への脱着の作業を容易にすることができ、また、抜け止めストッパー２ＡＴが単一であるため、例えば、図９に示すように、右手の人差し指以外の指で清掃用粘着テープ１の外周を支持し、右手の人差し指を使って抜け止めストッパー２ＡＴの突起をローラ部２の軸心に向かって押せば（図９の矢印方向参照）、清掃用粘着テープ１のローラ部２との係合関係が容易に解除され、図１０に示すように、ローラ部２から清掃用粘着テープ１を取り外して、清掃用粘着テープ１のローラ部２への脱着の作業を容易にすることができる。
なお、清掃用粘着テープ１をローラ部２へ装着するには、図８（ａ）に示すように、清掃用粘着テープ１をローラ部２に向かって矢印方向へ移動させれば、清掃用粘着テープ１の巻芯１ａの内壁面が抜け止めストッパー２ＡＴの突起を乗り越え、抜け止めストッパー２ＡＴは下方に撓み、清掃用粘着テープ１がローラ部２へ装着に支障を与えず［図８（ｂ）参照］、清掃用粘着テープ１がローラ部２へ装着されると撓んでいた抜け止めストッパー２ＡＴの突起が復帰して、抜け止めストッパー２ＡＴの突起が清掃用粘着テープ１の巻芯１ａに係止し、清掃用粘着テープ１がローラ部２から離脱しないようになっている［図８（ｃ）参照］。
【００２３】
[第２の実施例（図１１及び図１２）]
上述の実施例においては、両側の端面２Ａ、２Ｂの外形を断面が略多角形（例えば、八角形）に形成するようにしたが、本願発明にあっては、これに限らず、図１１及び図１２に示すように、清掃用粘着テープ１の円筒状の巻芯に当接するローラ部２の外周に、ローラ部２の軸心に平行な複数の凸条部Ｔを形成するようにしても良い。
即ち、清掃用粘着テープ１の円筒状の巻芯に当接するローラ部２の外周に、ローラ部２の軸心に平行な複数の凸条部Ｔが形成されているため、清掃用粘着テープ１の円筒状の巻芯が生産上の誤差や湿度等により多少変形しても、ローラ部の外周が円であるものに比べ、清掃用粘着テープ１の巻芯の内壁面との接触が少なく、清掃用粘着テープ１のローラ部２への脱着の作業が容易である。
なお、図１１に示す２ＡＴは、上述の実施例と同様のローラ部２の端部２Ａの円周部に設けた単一の抜け止めストッパーであり、Ｓ１、Ｓ２は、上述の実施例と同様のスリットである。
【００２４】
[第３の実施例（図１３乃至図２２）]
上述の実施例１においては、両側の端面２Ａ、２Ｂの外形を断面が略多角形（例えば、八角形）に、また、実施例２においては、清掃用粘着テープ１の円筒状の巻芯に当接するローラ部２の外周に、ローラ部２の軸心に平行な複数の凸条部Ｔを形成するようにしたが、本願発明にあっては、これに限らず、図１１及び図１２に示すように、円筒状の巻芯１ａに当接するローラ部２の外周を円筒面としても良い。
即ち、清掃具Ｃは、清掃用粘着テープ１を支持するローラ部２と、このローラ部２を回転可能に支持するローラ支持部３とを備えた清掃具Ｃであって、ローラ部２の端部２Ａに弾性部材で形成された単一の抜け止めストッパー２ＡＴが設けられ、この単一の抜け止めストッパー２ＡＴは、ローラ部２の軸心と直交する方向に巻芯１ａの厚みを超えない突起が形成されるように構成しても良い。
この清掃具Ｃにおいても、抜け止めストッパー２ＡＴが単一であるため、例えば、図２１に示すように、右手の人差し指以外の指で清掃用粘着テープ１の外周を支持し、右手の人差し指を使って単一の抜け止めストッパー２ＡＴの突起をローラ部２の軸心に向かって押せば（図２１の矢印参照）、清掃用粘着テープ１のローラ部２との係合関係が容易に解除され、ローラ部２から清掃用粘着テープ１を取り外して、清掃用粘着テープ１のローラ部２への脱着の作業を容易にすることができる。
なお、第３の実施例（図１３乃至図２２）においては、第１の実施例（図１乃至図１０）の両側の端面２Ａ、２Ｂの外形を断面が略多角形（例えば、八角形）とした点を除けば、第１の実施例（図１乃至図１０）と同様であるため、図１３乃至図２２に同一符号を付してその説明を省略する。
【符号の説明】
【００２５】
Ｃ      清掃具
１      清掃用粘着テープ
１ａ    巻芯
２      ローラ部
２ＡＴ  抜け止めストッパー
３      ローラ支持部
【図１】
2013022117.tif 000003
【図２】
2013022117.tif 000004
【図３】
2013022117.tif 000005
【図４】
2013022117.tif 000006
【図５】
2013022117.tif 000007
【図６】
2013022117.tif 000008
【図７】
2013022117.tif 000009
【図８】
2013022117.tif 000010
【図９】
2013022117.tif 000011
【図１０】
2013022117.tif 000012
【図１１】
2013022117.tif 000013
【図１２】
2013022117.tif 000014
【図１３】
2013022117.tif 000015
【図１４】
2013022117.tif 000016
【図１５】
2013022117.tif 000017
【図１６】
2013022117.tif 000018
【図１７】
2013022117.tif 000019
【図１８】
2013022117.tif 000020
【図１９】
2013022117.tif 000021
【図２０】
2013022117.tif 000022
【図２１】
2013022117.tif 000023
【図２２】
2013022117.tif 000024